(57)【要約】  【課題】直感的に優れた押圧操作によって、少ない操作回数でもって所望のコンテンツを検索する。  【解決手段】コンテンツ表示画面５１Ａにおいて、全画面表示されているコンテンツと同じ日付内において、未だ表示していないコンテンツが存在する場合は、それらのコンテンツの一覧表示画面５１Ｃをはさんでカテゴリ表示画面５１Ｂに切り替わる。一覧表示画面５１Ｃは、各コンテンツの縮小画像である。画面の切り替わりは、画面のスクロールによってなされる。一覧表示画面５１Ｃにより、日付内の途中のコンテンツまで閲覧して、次の日付が選択されるカテゴリ表示画面５１Ｂに切り替える際に、同一日付内の残りのコンテンツの内容も把握することができる。すなわち、日付切り替えによるコンテンツの見落としを防止できる。【選択図】図６
2011205562.tif 000002
【特許請求の範囲】
【請求項１】
上位のカテゴリによって分けられた複数のコンテンツが記憶される記憶部と、
上記コンテンツおよび上記カテゴリの一方を表示する表示部と、
操作時の押圧力が弱い第１の操作に応じた第１の操作信号と、該第１の操作に比して強い押圧力の第２の操作に応じた第２の操作信号を発生する操作部と、
上記第１および第２の操作信号が入力され、上記表示部に表示される表示画像を制御する制御部とを備え、
上記表示部に上記コンテンツが表示されているコンテンツ表示画面において、上記第１の操作がなされることによって、表示されるコンテンツが順次切り替えられ、
上記カテゴリのリストが表示されているカテゴリ表示画面において、上記第２の操作がなされることによって、所望のカテゴリが順次切り替えられ、
上記コンテンツ表示画面において、上記第２の操作がなされることによって、上記コンテンツ表示画面から上記カテゴリ表示画面に遷移し、
上記カテゴリ表示画面において、上記第１の操作がなされることによって、上記カテゴリ表示画面から上記コンテンツ表示画面に遷移するように、上記制御部が上記記憶部および上記表示部を制御する画像表示装置。
【請求項２】
上記操作部は、上記コンテンツおよび上記カテゴリを順次切り替える時の切り替え方向に対応して異なる操作信号を発生し、
上記押圧力と上記切り替え方向とが組み合わされた第１、第２、第３および第４の操作信号を発生する請求項１記載の画像表示装置。
【請求項３】
上記コンテンツ表示画面は、上記表示部のほぼ画面全体に上記コンテンツが表示される画面であり、
上記カテゴリ表示画面は、上記表示部の画面に複数の上記カテゴリの表示が同時に表示される画面である請求項１または２記載の画像表示装置。
【請求項４】
上記コンテンツ表示画面から上記カテゴリ表示画面に遷移する時に、上記コンテンツ表示画面において表示されているコンテンツと同一のカテゴリに属し、且つ未表示のコンテンツを示す項目を表示する第１の遷移画面を介在させる請求項１、２または３記載の画像表示装置。
【請求項５】
上記カテゴリ表示画面から上記コンテンツ表示画面に遷移する時に、上記カテゴリ表示画面において、選択されるカテゴリに属する全てのコンテンツの項目を表示する第２の遷移画面を介在させる請求項１、２または３記載の画像表示装置。
【請求項６】
上記コンテンツ表示画面から上記カテゴリ表示画面に遷移する時に、上記コンテンツ表示画面において表示されているコンテンツと同一のカテゴリに属し、且つ未表示のコンテンツの項目を表示する第１の遷移画面を介在させ、
上記カテゴリ表示画面から上記コンテンツ表示画面に遷移する時に、上記カテゴリ表示画面において、選択されるカテゴリに属する全てのコンテンツの項目を表示する第２の遷移画面を介在させる請求項１、２または３記載の画像表示装置。
【請求項７】
複数のコンテンツが上位のカテゴリによって分けられ、
上記コンテンツおよび上記カテゴリの一方が表示部に表示され、
操作部が操作時の押圧力が弱い第１の操作に応じた第１の操作信号と、該第１の操作に比して強い押圧力の第２の操作に応じた第２の操作信号を発生し、
上記表示部に表示される表示画像を制御する制御部に対して上記第１および第２の操作信号が入力され、
上記制御部によって、
上記表示部に上記コンテンツが表示されているコンテンツ表示画面において、上記第１の操作がなされることによって、表示されるコンテンツが順次切り替えられ、
上記カテゴリのリストが表示されているカテゴリ表示画面において、上記第２の操作がなされることによって、所望のカテゴリが順次切り替えられ、
上記コンテンツ表示画面において、上記第２の操作がなされることによって、上記コンテンツ表示画面から上記カテゴリ表示画面に遷移し、
上記カテゴリ表示画面において、上記第１の操作がなされることによって、上記カテゴリ表示画面から上記コンテンツ表示画面に遷移する画像表示方法。
【発明の詳細な説明】
【技術分野】
【０００１】
この発明は、コンテンツ例えば撮像画像の中で所望の撮像画像を検索するのに適用される画像表示装置および画像表示方法に関する。
【背景技術】
【０００２】
静止画像や動画像を撮影してデジタルデータとして記憶メディアに記録することが可能な撮像装置（デジタルスチルカメラ、デジタルビデオカメラ）が広く普及している。最近では、記憶メディアの大容量化に伴い、撮像装置に内蔵の記憶メディアに大量の画像データを蓄えることが多くなっている。したがって、大量の画像データの中から所望の画像データを効率的に探すことが望まれている。
【０００３】
ここで、この発明は、撮像画像に限らず、コンテンツに対して適用できる。コンテンツとは、ウェブサイトやメディアで人が閲覧できるひとまとまりの情報全般のことである。具体的には、撮像画像・音楽・映画・テキスト・漫画・ゲーム・ウェブページ等のことである。したがって、以下の説明では、これらの撮像画像等を全般的に含む用語としてコンテンツの用語を使用する。
【０００４】
例えば、コンテンツ表示画面においてコンテンツ送り／戻し（スクロール）操作を行うことで、目的のコンテンツを探す方法がある。このとき送り／戻しの速度を調節できるようにすることで目的のコンテンツに素早くたどり着くことができる。例えば特許文献１に記載のデジタルカメラにおいては、感圧式タッチパネルを利用し、押圧に応じて送り／戻しの速度を変えている。この手法により送り／戻しボタンを表示するだけで速度調整が可能なため、速度調整用のボタンを別途表示する必要が無く、画面を有効活用できる。さらに、押圧力の強弱を利用することで直感的な操作ができる。
【０００５】
しかしながら、大量のコンテンツの中から目的のコンテンツを探す場合には、送り／戻しのみでは不十分である。ユーザは、例えば撮影日付というより上位の単位（以下、カテゴリと適宜称する）によって複数のコンテンツを１つの塊として捉えている。カテゴリによって分類されるコンテンツ群は、ある規則例えば撮像順・記録順でソートして配されている。ユーザは、今見ているコンテンツと同じ日付には、目的のコンテンツがない場合、次の日付まで１ステップの操作で移動したい、と希望することが多い。特許文献１に記載の装置では、かかる要請に対応することができない。
【０００６】
特許文献２には、所望のコンテンツを検索する場合に、タッチパネルに月別一覧表示画面を表示し、その中の何れかの日付を選択すると、縮小画像が配列された日付別一覧表示画面に遷移し、その中で所望のコンテンツを選択することが記載されている。
【先行技術文献】
【特許文献】
【０００７】
【特許文献１】特開平１１−３５５６１７号公報
【特許文献２】特開２００５−２００７０号公報
【発明の概要】
【発明が解決しようとする課題】
【０００８】
特許文献２の撮像装置では、日付一覧表示において日付を選択する場合に、識別画像の位置を押す操作と、日付選択を確定させるための確定ボタンの押し下げとの２段階を操作を必要とする。これは、間違えた日付選択の操作によって、日付内コンテンツ表示に画面が遷移することを防止スるためである。このように、日付一覧表示と日付内コンテンツ表示の遷移のために、複数回の操作を必要とすることは、操作性が悪い問題がある。
【０００９】
さらに、異なる２つの表示を単純に切り替えるので、２つの問題がある。
（１）日付内コンテンツの前半まで探した状態で日付一覧表示に切り替えると、その日付の後半を見ることができない。つまり、後半部分に目的のコンテンツがある場合には、目的のコンテンツを見落としてしまう。
（２）日付一覧表示から日付内コンテンツ表示に切り替えると、日付内でソートされている複数のコンテンツの中の先頭コンテンツが表示される。したがって、その日付内に目的のコンテンツが存在するかどうかは、表示切替後にコンテンツ送り／戻し操作を行い日付内の全コンテンツを確認するまで分からない。
【００１０】
したがって、この発明の目的は、直感的に優れた押圧操作によって、少ない操作回数でもって所望のコンテンツを検索することができる画像表示装置および画像表示方法を提供することにある。
さらに、この発明の他の目的は、カテゴリ表示画面とコンテンツ表示画面との切り替え時に、遷移画面を表示することによって、所望のコンテンツを容易に検索することができる画像表示装置および画像表示方法を提供することになる。
【課題を解決するための手段】
【００１１】
上述した課題を解決するために、この発明は、上位のカテゴリによって分けられた複数のコンテンツが記憶される記憶部と、
コンテンツおよびカテゴリの一方を表示する表示部と、
操作時の押圧力が弱い第１の操作に応じた第１の操作信号と、該第１の操作に比して強い押圧力の第２の操作に応じた第２の操作信号を発生する操作部と、
第１および第２の操作信号が入力され、表示部に表示される表示画像を制御する制御部とを備え、
表示部にコンテンツが表示されているコンテンツ表示画面において、第１の操作がなされることによって、表示されるコンテンツが順次切り替えられ、
カテゴリのリストが表示されているカテゴリ表示画面において、第２の操作がなされることによって、所望のカテゴリが順次切り替えられ、
コンテンツ表示画面において、第２の操作がなされることによって、コンテンツ表示画面からカテゴリ表示画面に遷移し、
カテゴリ表示画面において、第１の操作がなされることによって、カテゴリ表示画面からコンテンツ表示画面に遷移するように、制御部が記憶部および表示部を制御する画像表示装置である。
【００１２】
この発明は、複数のコンテンツが上位のカテゴリによって分けられ、
コンテンツおよびカテゴリの一方が表示部に表示され、
操作部が操作時の押圧力が弱い第１の操作に応じた第１の操作信号と、該第１の操作に比して強い押圧力の第２の操作に応じた第２の操作信号を発生し、
表示部に表示される表示画像を制御する制御部に対して第１および第２の操作信号が入力され、
制御部によって、
表示部にコンテンツが表示されているコンテンツ表示画面において、第１の操作がなされることによって、表示されるコンテンツが順次切り替えられ、
カテゴリのリストが表示されているカテゴリ表示画面において、第２の操作がなされることによって、所望のカテゴリが順次切り替えられ、
コンテンツ表示画面において、第２の操作がなされることによって、コンテンツ表示画面からカテゴリ表示画面に遷移し、
カテゴリ表示画面において、第１の操作がなされることによって、カテゴリ表示画面からコンテンツ表示画面に遷移する画像表示方法である。
【００１３】
好ましい態様は、以下の通りである。
操作部は、コンテンツおよびカテゴリを順次切り替える時の切り替え方向に対応して異なる操作信号を発生し、
押圧力と切り替え方向とが組み合わされた第１、第２、第３および第４の操作信号を発生する。
【００１４】
コンテンツ表示画面は、表示部のほぼ画面全体にコンテンツが表示される画面であり、  カテゴリ表示画面は、表示部の画面に複数のカテゴリの表示が同時に表示される画面である。
【００１５】
コンテンツ表示画面からカテゴリ表示画面に遷移する時に、コンテンツ表示画面において表示されているコンテンツと同一のカテゴリに属し、且つ未表示のコンテンツを示す項目を表示する第１の遷移画面を介在させる。
【００１６】
カテゴリ表示画面からコンテンツ表示画面に遷移する時に、カテゴリ表示画面において、選択されるカテゴリに属する全てのコンテンツの項目を表示する第２の遷移画面を介在させる。
【００１７】
コンテンツ表示画面からカテゴリ表示画面に遷移する時に、コンテンツ表示画面において表示されているコンテンツと同一のカテゴリに属し、且つ未表示のコンテンツの項目を表示する第１の遷移画面を介在させ、
カテゴリ表示画面からコンテンツ表示画面に遷移する時に、カテゴリ表示画面において、選択されるカテゴリに属する全てのコンテンツの項目を表示する第２の遷移画面を介在させる。
【発明の効果】
【００１８】
この発明によれば、以下の効果が得られる。
日付と日付内コンテンツのように階層関係を持つように分類されたコンテンツの送り／戻し操作において、押圧力の強弱によって操作対象を決定する。すなわち、カテゴリ表示画面へ遷移させたり、カテゴリ表示画面において、カテゴリを切り替える場合には、押圧力が強くされる。一方、コンテンツ表示画面に遷移させたり、コンテンツ表示画面において、コンテンツを切り替える場合には、押圧力が弱くされる。このような操作時の押圧力の強弱は、コンテンツを検索する場合の検索速度に対応しており、直感的な操作が可能である。
押圧力の強弱によって表示内容を切り替えるので、複数回の操作を行うのと比較して、素早く切り替えることができる。
【００１９】
さらに、日付リスト表示画面のようなカテゴリ表示画面から日付内コンテンツ表示のようなコンテンツ表示画面へ切り替える際に、カテゴリ内に含まれる全コンテンツを俯瞰できる遷移画面をはさんで表示が切り替えられる。したがって、カテゴリ内に探索目的のコンテンツが含まれるか否かを素早く判断できる。
さらに、コンテンツ表示画面からカテゴリ表示画面へ切り替える際に、未だ表示していないカテゴリ内のコンテンツの一覧を表示する画面をはさんで切り替わるため、探索対象を見落とすことを防止できる。
【図面の簡単な説明】
【００２０】
【図１】この発明の一実施の形態のブロック図である。
【図２】この発明の一実施の形態における感圧式入力デバイスの説明に用いる略線図である。
【図３】この発明の一実施の形態におけるコンテンツ表示画面の説明に用いる略線図である。
【図４】この発明の一実施の形態におけるカテゴリ表示画面の説明に用いる略線図である。
【図５】この発明の一実施の形態におけるコンテンツ表示画面とカテゴリ表示画面との遷移の説明に用いる略線図である。
【図６】この発明の一実施の形態におけるコンテンツ表示画面からカテゴリ表示画面への遷移の説明に用いる略線図である。
【図７】この発明の一実施の形態におけるカテゴリ表示画面からコンテンツ表示画面への遷移の説明に用いる略線図である。
【図８】この発明の一実施の形態の処理の流れの一例の説明に用いるフローチャートである。
【図９】この発明の他の実施の形態における表示画面の説明に用いる略線図である。
【図１０】この発明の他の実施の形態における画面遷移の説明に用いる略線図である。
【図１１】この発明の他の実施の形態における画面遷移の説明に用いる略線図である。
【発明を実施するための形態】
【００２１】
以下、この発明の実施の形態について説明する。なお、説明は、以下の順序で行う。
＜１．この発明の一実施の形態＞
＜２．この発明の他の実施の形態＞
＜３．変形例＞
なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００２２】
＜１．この発明の一実施の形態＞
「撮像装置」
図１を参照してこの発明の一実施の形態における撮像装置について説明する。撮像装置は、カメラ部１と、記録再生処理部２と、制御部３とからなる。制御部３に対して、表示部４と、操作入力部５と、リムーバブルな記録メディアとしてのメモリカード６が接続される。表示部４は、例えばＬＣＤ（Liquid Crystal Display）である。メモリカード６以外に、ハード・ディスク装置、記録可能なＤＶＤ（Digital Versatile Disc）や記録可能なＣＤ（Compact Disc）等の光記録媒体、磁気ディスクなどを用いることができる。
【００２３】
制御部３には、表示制御部３１が設けられ、表示部４の表示を制御するための信号が表示制御部３１から発生する。表示制御部３１は、バス３４を通じて供給された画像データから、表示部４に表示される画像信号を生成して、画像信号を表示部４に供給し、画像を表示させる。さらに、処理部３５および表示制御部３１の制御によって、表示部４の画面上にメニュー等のテキスト、グラフィックスの表示が行うことが可能とされている。なお、画像の表示の形態は、ＲＯＭ３７に記録された表示処理プログラムに従ったものとされる。
【００２４】
制御部３には、操作入力インターフェース３２が設けられ、操作入力部５からのユーザの操作に応じた操作信号が操作入力インターフェース３２を介して制御部３のバス３４に供給される。制御部３には、メモリカードインターフェース３３が設けられ、メモリカード６がメモリカードインターフェース３３のコネクタに挿入され、メモリカード６と制御部３との間の信号の授受がメモリカードインターフェース３３によってなされる。
【００２５】
操作入力部５には、感圧式入力デバイス、シャッタレリーズボタン等の各種ボタンやレバー、ダイヤル等が含まれる。さらに、感圧式入力デバイスは、操作時の押圧力が弱い第１の操作に応じた第１の操作信号と、第１の操作に比して強い押圧力の第２の操作に応じた第２の操作信号を発生するようになされている。表示部４をタッチパネルと構成とし、ユーザが画面上を指や指示具で押圧することで入力操作を行うことが可能とされている。タッチパネルの一部の領域として、感圧式入力デバイスを構成しても良い。
【００２６】
制御部３では、ＣＰＵ（Central Processing Unit ）からなる処理部３５、ＲＡＭ（Random Access Memory）３６、ＲＯＭ（Read Only Memory）３７、時計回路３８がバス３４を通じて接続される。制御部３によって撮像装置の各部が制御される。ＲＡＭ３６は、処理の途中結果を一時記憶するなど主に作業領域として用いられるものである。ＲＯＭ３７は、処理部３５において実行する種々のプログラムや、処理に必要になるデータなどを記憶するものである。時計回路３８は、現在年月日、現在曜日、現在時刻、撮影日時などを提供すると共に、撮影日時等の日時情報を撮影画像ファイルに付与する機能を有する。
【００２７】
カメラ部１は、光学ブロック、イメージャ等を含む撮像部１１を備えている。光学ブロックは、レンズ、フォーカス機構、シャッター機構、絞り（アイリス）機構などを備えている。イメージャは、ＣＣＤ（Charge Coupled Device ）、ＣＭＯＳ(Complementary Metal Oxide Semiconductor) 等である。
【００２８】
撮影時においては、カメラ制御部１２は、制御部３からの制御に応じて、撮像部１１の光学ブロックを動作させるための駆動信号を形成する。光学ブロックでは、カメラ制御部１２からの駆動信号に応じて、フォーカス機構、シャッター機構、絞り機構が制御され、被写体像が取り込まれ、被写体像がイメージャに対して提供される。
【００２９】
イメージャが光学ブロックからの被写体像を光電変換して出力する。カメラ制御部１２からの駆動信号に応じてイメージャが動作し、被写体像が取り込まれ、取り込まれた被写体の画像が電気信号として信号変換部１３に供給される。
【００３０】
信号変換部１３は、供給された撮像信号に対して、ＣＤＳ（Correlated Double Sampling）処理を行って、Ｓ／Ｎ比を良好にし、ＡＧＣ（Automatic Gain Control）処理を行って、利得を制御し、そして、Ａ／Ｄ（Analog／Digital ）変換によって、デジタル信号とされた撮像データを形成する。
【００３１】
信号変換部１３からのデジタル撮像データが画像信号処理部１４に供給される。画像信号処理部１４は、撮像データに対して、ＡＦ（Auto Focus）、ＡＥ（Auto Exposure ）、ＡＷＢ（Auto White Balance）などのカメラ信号処理を施す。カメラ信号処理がなされた画像データが記録再生処理部２の符号化／復号部２１に供給される。
【００３２】
カメラ部１には、音声入力部（マイクロホン）１５が設けられている。音声入力部１５からの音声信号が音声信号処理部１６に供給される。音声信号処理部１６は、アンプ、Ａ／Ｄ変換器等によって構成される。音声信号処理部１６は、音声入力部１５によって収音された音声信号を増幅してデジタル信号に変換する。音声信号処理部１６において、音声信号に対する圧縮処理を行うようにしても良い。音声信号処理部１６からのデジタル音声信号が記録再生処理部２の符号化／復号部２１に供給される。なお、図示しないが、記録媒体から再生された音声信号を再生するスピーカ等の音声再生装置が設けられている。
【００３３】
記録再生処理部２の符号化／復号部２１は、映像信号処理部１４からの映像信号、並びに音声信号処理部１６からの音声信号を圧縮符号化する。静止画像データは、例えばＪＰＥＧ（Joint Photographic Experts Group) によって圧縮符号化され、動画像データは、例えばＭＰＥＧ２(Moving Picture Experts Group Phase 2)によって圧縮符号化される。さらに、音声データは、例えばＭＰ３(MPEG1 Audio Layer 3) によって圧縮される。符号化／復号部２１と関連してバッファメモリ２２が設けられている。
【００３４】
符号化／復号部２１により圧縮された画像データおよび音声データがメモリコントローラ２３を介してハードディスク、不揮発性メモリ等の内部メモリ２４に記憶される。さらに、圧縮された画像データおよび音声データが制御部３の制御の下で、バス３４、メモリカードインターフェース３３を通じてメモリカード６に記憶される。記憶媒体には、所定の規格例えばＤＣＦ（Design rule for Camera File system）規格に準じた画像ファイルとして圧縮データが記録される。
【００３５】
内部メモリ２４またはメモリカード６から読み出されたデータが符号化／復号部２１によって復号される。復号された画像データが制御部３の制御の下で表示制御部３１を通じて表示部４に表示される。なお、表示部４には、撮像中の画像も表示される。
【００３６】
ここで、上述した撮像装置の動作について概略的に説明する。撮像部１１のイメージャによって受光され、光電変換された信号が信号変換部１３に供給され、ＣＤＳ処理、ＡＧＣ処理が行われてデジタル信号に変換され、画像信号処理部１４に供給される。画像信号処理部１４では、画像データが画質補正処理され、カメラスルー画像の画像データとして制御部３に供給される。制御部３では、入力された画像データが表示制御部３１に供給され、カメラスルー画像が表示部４に表示される。表示部４の表示画像を見ながら画角合わせを行うことが可能となる。
【００３７】
そして、操作入力部５のシャッタレリーズボタンが押下されると、処理部３５がカメラ制御部１２に制御信号を出力して、撮像部１１のシャッタを動作させる。これとともに、画像信号処理部１４によって、信号変換部１３から供給された１フレーム分の画像データが処理されて後、バッファメモリ２２に記憶される。さらに、この画像データが符号化／復号部２１よって圧縮符号化され、符号化データがメモリコントローラ２３を通じて内部メモリ２４に記憶されると共に、システムバス３４およびメモリカードインターフェース３３を通じてメモリカード６に記憶される。
【００３８】
音声入力部１５によって収音されて音声信号処理部１６に供給された音声信号は、デジタル化された後、圧縮符号化処理される。さらに、処理部３５の処理によって、音声の符号化データが内部メモリ２４およびメモリカード６に記憶される。
【００３９】
なお、静止画像データ、音声信号データに対して、処理部３５が撮影時の日時や時刻を時計回路３８から取得し、データに付加して内部メモリ２４およびメモリカード６に記憶する。さらに、静止画像についてはさらに、静止画像の縮小画像のデータが生成され、元の静止画像と対応付けて内部メモリ２４およびメモリカード６に記憶される。
【００４０】
一方、内部メモリ２４またはメモリカード６に記憶された画像データを再生する場合には、操作入力部５からの操作入力に応じて、処理部３５が選択された画像データが内部メモリ２４またはメモリカード６からバッファメモリ２２に読み込まれる。そして、符号化／復号部２１によって復号される。復号された画像データが表示制御部３１を通じて表示部４に供給され、表示部４に再生画像が表示される。音声も同様に、復号され、音声再生装置によって再生される。
【００４１】
上述した撮像装置において、内部メモリ２４またはメモリカード６の記憶容量が増すにつれて、記録されるコンテンツの数が多くなるので、ユーザが目的とするコンテンツを探し出すのに時間がかかる。この発明は、大量のコンテンツの中で目的とする所望のコンテンツを簡単且つ迅速に探し出すことを可能とするものである。
【００４２】
「感圧式入力デバイス」
図２に示すように、操作入力部５に設けられている感圧式入力デバイスは、例えば感圧導電ゴムを使用したスイッチであり、ユーザの操作時の指またはスタイラスペンの押圧力Ｆに対応して抵抗が変化し、抵抗に応じた大きさのデジタル出力を発生する。押圧力が非常に弱い場合は、入力デバイスが何ら操作されていない領域（ＯＦＦ）とされ、出力がＤ１からＤ２の範囲の領域が押圧力が弱い領域と設定され、出力がＤ３からＤ４の範囲の領域が押圧力が強い領域と設定される。出力がＤ２からＤ３の範囲は、押圧力の強弱が判定されない領域とされる。この非判定領域においては、感圧式入力デバイスのＯＦＦの領域と同様に、入力デバイスが非操作と判定され、制御の状態が維持される。なお、図２に示す特性は、概略的なものであり、非線形な出力特性であったり、傾きが逆となる特性であっても良い。
【００４３】
操作入力インターフェース３２は、上述した感圧式入力デバイスのデジタル出力を発生し、デジタル出力がバス３４を通じて処理部３５に供給される。さらに、感圧式入力デバイスの操作される領域が２分割され、各領域の操作に対応する操作信号が発生する。後述するように、各領域が送りスイッチおよび戻しスイッチとして機能する。したがって、感圧式入力デバイスからは、押圧力の強弱と、送り／戻しとに応じた操作信号が発生する。操作信号が供給される処理部３５は、デジタル出力に対して閾値判定を行い、ＯＦＦ状態、非判定状態、押圧力、並びに送り／戻しに関する判定を行う。
【００４４】
「画面表示」
撮像装置のケースの背面側には、図３および図４に示すように、表示部４の画面４１と、感圧式入力デバイス４２とが設けられている。感圧式入力デバイス４２は、送り方向が「次」の操作信号を発生するための下側の領域（以下、送りスイッチ４３ａと適宜称する）と、送り方向が「前」の操作信号を発生するための上側の領域（以下、戻しスイッチ４３ｂと適宜称する）とを有する。したがって、感圧式入力デバイス４２が、押すスイッチの種類と押圧力の強弱とを組み合わせた４種類の操作信号を発生する。
【００４５】
撮像装置が再生モードとされている場合の表示画面として、図３に示すコンテンツ表示画面５１Ａと、図４に示すカテゴリ表示画面５１Ｂとの何れかが可能とされている。コンテンツ表示画面５１Ａは、画面４１の全体にコンテンツ例えば記録画像が表示されている画面である。記録画像は、例えば内部メモリ２４に蓄積されている。なお、撮像モードにおいて、撮像画像を表示する場合は、コンテンツ表示画面５１Ａと同様に、撮像画像が画面全体に表示される。
【００４６】
コンテンツ表示画面５１Ａでは、特定のコンテンツが表示デバイスの表示領域のほぼ全体に表示される。コンテンツ表示画面５１Ａにおいては、感圧式入力デバイス４２の送りスイッチ４３ａまたは戻しスイッチ４３ｂが弱い押圧力で押されると、表示されるコンテンツが押されたスイッチに対応する方向に順に送られる。すなわち、同じ撮像日付内で撮像時刻に関して旧いから新しい順にコンテンツのデータがソートされており、送りスイッチ４３ａが押されると、旧いから新しい方向（次選択方向）にコンテンツが送られる。逆に、戻しスイッチ４３ｂが押されると、新しいから旧い方向（前選択方向）にコンテンツが送られる。
【００４７】
カテゴリ表示画面５１Ｂは、画面４１にカテゴリ例えば撮像日付の表示（ラベルと称する。日付を表すアイコンでも良い）が時系列順に一列に並んで表示されている画面である。カテゴリ表示画面５１Ｂでは、複数のカテゴリのラベルが同時に表示される。複数のカテゴリのラベルの中で、選択状態のカテゴリのラベルに対して非選択のカテゴリのラベルと異なる態様の表示がなされる。例えば日付表示のラベルの枠がハイライト表示とされる。
【００４８】
カテゴリ表示画面５１Ｂにおいては、感圧式入力デバイス４２の送りスイッチ４３ａまたは戻しスイッチ４３ｂが強い押圧力で押されると、カテゴリのラベルが押されたスイッチに対応する方向に順に切り替えられる。例えば日付のラベルが押されたスイッチと対応する方向にスクロールされ、スクロールが停止して所定時間経過すると、中央位置の日付が選択される。すなわち、撮像日付のラベルが旧いから新しい順にソートされ、画面４１上では、上から下に向かって日付が新しくされている。送りスイッチ４３ａが押されると、旧い日付から新しい日付の方向（次選択方向で画面上では上方向）に日付のラベルが送られる。逆に、戻しスイッチ４３ｂが押されると、新しい日付から旧い日付の方向（前選択方向で画面上では下方向）に日付のラベルが送られる。
【００４９】
図５に示すように、コンテンツ表示画面５１Ａにおいて、強い押圧力で感圧式入力デバイス４２が押されると、カテゴリ表示画面５１Ｂに画面が遷移する。一方、カテゴリ表示画面５１Ｂにおいて、弱い押圧力で感圧式入力デバイス４２が押されると、コンテンツ表示画面５１Ａに画面が遷移する。押圧力の強弱の変化は、感圧式入力デバイス４２を押し続けている力を変化させて生じさせる場合と、感圧式入力デバイス４２から一旦指を離して再度押圧力を変えて押す場合との何れかで生じさせることができる。このように、カテゴリを切り替える場合、並びにカテゴリ表示画面に遷移する場合には、感圧式入力デバイス４２が強く押される。カテゴリを切り替えることは、コンテンツの切り替えを高速に行うことを意味するので、押圧力の強さと切り替え速度との対応が直感に合ったものとなり、操作感が良好とできる。
【００５０】
「画面遷移」
コンテンツ表示画面５１Ａからカテゴリ表示画面５１Ｂに切り替える際の画面遷移について図６を参照して説明する。コンテンツ表示画面５１Ａにおいて、表示されているコンテンツと同一のカテゴリに属し、且つ未表示のコンテンツを示す項目を表示する第１の遷移画面を介在させる。つまり、全画面表示されているコンテンツと同じ日付内において、未だ表示していないコンテンツが存在する場合は、それらのコンテンツの一覧表示画面５１Ｃをはさんでカテゴリ表示画面５１Ｂに切り替わる。一覧表示画面５１Ｃは、各コンテンツの縮小画像である。
【００５１】
画面の切り替わりは、画面のスクロールによってなされる。例えばスクロールの方向は、送りスイッチ４３ａが押されると上方向とされ、戻しスイッチ４３ｂが押されると下方向とされる。スクロールの速度は、一覧表示画面５１Ｃに含まれる縮小画像を判別できる程度のものとされる。一覧表示画面５１Ｃにより、日付内の途中のコンテンツまで閲覧して、次の日付が選択されるカテゴリ表示画面５１Ｂに切り替える際に、同一日付内の残りのコンテンツの内容も把握することができる。すなわち、日付切り替えによるコンテンツの見落としを防止できる。
【００５２】
ここで、一覧表示画面５１Ｃに縮小画像として表示するコンテンツは、以下のように決定される。図６に示すように、送りスイッチ４３ａが押されている送り動作中に、送りスイッチ４３ａが強く押されると、次の日付を選択するカテゴリ表示画面５１Ｂに切り替わる。この場合は、表示中のコンテンツと同じ日付に属し、且つ当該コンテンツより後の時刻に撮影されたコンテンツが一覧表示画面５１Ｃの表示対象とされる。一方、戻しスイッチ４３ｂが押されている戻し動作中に、戻しスイッチ４３ｂが強く押されると、前の日付を選択するカテゴリ表示画面５１Ｂに切り替わる。この場合は、表示中のコンテンツと同じ日付に属し、且つ当該コンテンツより前の時刻に撮影されたコンテンツが表示対象とされる。
【００５３】
カテゴリ表示画面５１Ｂからコンテンツ表示画面５１Ａに切り替える際の画面遷移について図７を参照して説明する。カテゴリ表示画面５１Ｂにおいて、感圧式入力デバイス４２の押圧力が弱くなると、コンテンツ表示画面５１Ａに切り替わる。このとき、全てのコンテンツの項目を表示する第２の遷移画面である、選択している日付内のコンテンツの俯瞰表示画面５１Ｄをはさんでコンテンツ表示画面５１Ａに切り替わる。コンテンツ表示画面５１Ａにより、選択した日付内のコンテンツの概要を簡単に把握できる。画面の切り替わりは、画面のスクロールによってなされる。例えばスクロールの方向は、送りスイッチ４３ａが押されると上方向とされ、戻しスイッチ４３ｂが押されると下方向とされる。スクロールの速度は、俯瞰表示画面５１Ｄに含まれる縮小画像を判別できる程度のものとされる。
【００５４】
図７の例では、カテゴリ表示画面５１Ｂにおいて、日付のラベル（２０１０年３月４日）を選択して送りスイッチ４３ａを押す力を弱くすると、画面が上側にスクロールして、その日のコンテンツの全ての縮小画像の俯瞰表示画面５１Ｄが表示される。そして、選択された日付の先頭のコンテンツが全画面に表示されるコンテンツ表示画面５１Ａに遷移する。カテゴリ表示画面５１Ｂにおいて、戻しスイッチ４３ｂの押圧力を弱めた場合も同様の俯瞰表示画面５１Ｄが介在して画面がコンテンツ表示画面５１Ａに遷移する。この場合には、選択された日付の最後のコンテンツが全画面に表示される。俯瞰表示画面５１Ｄによって、選択した日付内のコンテンツの概要を簡単に把握できる。
【００５５】
「一実施の形態の処理の流れ」
図８のフローチャートを参照して、制御部３の制御の下でなされるこの発明の一実施の形態の処理の流れを説明する。ユーザがモード切り替えスイッチ等を操作することによって、再生モードとなると、画像が全画面で表示される（ステップＳ１）。すなわち、コンテンツ表示画面５１Ａが表示される。最初に表示される画像は、例えば直前に記録された撮像画像である。
【００５６】
ステップＳ２において、感圧式入力デバイス４２が押されたか否かが判定される。押されていないと判定されると、処理がステップＳ３に移る。ステップＳ３において、コンテンツ表示画面か否かが判定される。コンテンツ表示画面でないと判定されると、ステップＳ４において、画像が表示され、処理がステップＳ５に移る。ステップＳ３において、表示中と判定される場合も、処理がステップＳ５に移る。
【００５７】
ステップＳ５においては、再生終了か否かが判定される。例えばユーザがモード切り替えスイッチ等を操作して再生モードを終了すると、再生モードが終了する。再生終了でないと判定されると、処理がステップＳ２に戻って感圧式入力デバイス４２が押されたか否かが判定される。
【００５８】
ステップＳ２において、感圧式入力デバイス４２が押されたと判定されると、ステップＳ６において、コンテンツ表示画面か否かが判定される。コンテンツ表示画面であると判定されると、ステップＳ７において、押圧力が弱いか否かが判定される。押圧力が弱いと判定されると、ステップＳ８において、同一の日付の中の次または前の画像が表示される。ステップＳ８の後に、処理がステップＳ２に戻る。
【００５９】
送りスイッチ４３ａが弱く押されると、撮像時刻が後（次）の画像が表示され、戻しスイッチ４３ｂが弱く押されると、撮像時刻が前の画像が表示される。カテゴリ表示画面において、日付の最後の画像が表示された後に、送りスイッチ４３ａが弱く押され続けると、次の日付の最初の画像が表示される。戻しスイッチ４３ｂが弱く押され続けると、前の日付の最後の画像が表示される。
【００６０】
ステップＳ７において、押圧力が強いと判定されると、ステップＳ９において、コンテンツ表示画面からカテゴリ表示画面に遷移する。図６を参照して説明したように、同一の日付内の未表示の画像の縮小画像の一覧表示画面５１Ｃを介在させてカテゴリ表示画面に遷移する。そして、ステップＳ１０において、カテゴリ表示画面となり、日付リストが表示される。
【００６１】
ステップＳ６において、カテゴリ表示画面が表示されていると判定されると、ステップＳ１１において、押圧力が強いか否かが判定される。押圧力が強いと判定されると、ステップＳ１２において、カテゴリ（日付）が変更される。送りスイッチ４３ａが押されている場合には、選択される日付が次の日付に変化し、戻しスイッチ４３ｂが押されている場合には、選択される日付が前の日付に変化する。そして、処理がステップＳ２に戻る。
【００６２】
ステップＳ６において、カテゴリ表示画面が表示されていると判定され、ステップＳ１１において、押圧力が弱いと判定されると、ステップＳ１３において、コンテンツ表示画面に遷移する。図７を参照して説明したように、選択している日付内のコンテンツの俯瞰表示画面をはさんでコンテンツ表示画面に切り替わる。
【００６３】
そして、ステップＳ１４において、コンテンツ送り操作か否かが判定される。送りスイッチ４３ａが押されているコンテンツ送り操作の場合には、ステップＳ１５において、選択している日付内の最初の順番の画像が表示される。戻しスイッチ４３ｂが押されているコンテンツ戻し操作の場合には、ステップＳ１６において、選択している日付内の最後の順番の画像が表示される。ステップＳ１５およびステップＳ１６の後に、処理がステップＳ２に戻る。
【００６４】
＜２．この発明の他の実施の形態＞
上述したこの発明の一実施の形態は、カテゴリで日付であり、コンテンツが各日付に属する画像であり、２階層の構造とされている。この発明の他の実施の形態は、３階層の構造とした例である。すなわち、月をカテゴリとし、日付を中間のカテゴリとし、各日付の撮像画像をコンテンツとするものである。
【００６５】
「表示画面」
図９Ａ乃至図９Ｄに示すように、コンテンツ表示画面６１Ａ、縮小画像表示画面６１Ｂ、日付表示画面６１Ｃ、月表示画面６１Ｄが用意される。コンテンツ表示画面６１Ａは、上述した一実施の形態と同様に、コンテンツを画面のほぼ全体に表示する画面である。縮小画像表示画面６１Ｂは、同一の日付に属する全コンテンツの縮小画像の一覧、または同一の日付の中で未表示のコンテンツの縮小画像の一覧である。日付表示画面６１Ｃは、同一の月の中でコンテンツ（画像）が存在する日付を示す画面である。月表示画面６１Ｄは、コンテンツ（画像）が存在する月を示す画面である。
【００６６】
ユーザは、コンテンツ表示画面６１Ａと、カテゴリ表示画面としての月表示画面６１Ｄとを切り替えて所望のコンテンツを検索する。感圧式入力デバイス４２が送りスイッチ４３ａおよび戻しスイッチ４３ｂを備えている。感圧式入力デバイス４２を弱く押すことによって、コンテンツ表示画面６１Ａにおいて選択されるコンテンツを切り替えることができる。感圧式入力デバイス４２を強く押すことによって、月表示画面６１Ｄにおいて選択される月を切り替えることができる。
【００６７】
「画面遷移」
縮小画像表示画面６１Ｂおよび日付表示画面６１Ｃは、遷移時に表示される画面である。コンテンツ表示画面６１Ａから月表示画面６１Ｄに切り替える際の画面遷移について図１０を参照して説明する。コンテンツ表示画面６１Ａにおいて、全画面表示されているコンテンツと同じ日付内において、未だ表示していないコンテンツが存在する場合は、それらのコンテンツの縮小画像表示画面６１Ｂと、同一の月内でコンテンツが存在する日付のリストを表示する日付表示画面６１Ｃをはさんで月表示画面６１Ｄに切り替わる。
【００６８】
画面の切り替わりは、画面のスクロールによってなされる。例えばスクロールの方向は、送りスイッチ４３ａが押されると上方向とされ、戻しスイッチ４３ｂが押されると下方向とされる。縮小画像表示画面６１Ｂおよび日付表示画面６１Ｃにより、月内の途中のコンテンツまで閲覧して、次の月が選択される月表示画面６１Ｄに切り替える際に、同一月内の残りのコンテンツの内容も把握することができる。すなわち、月切り替えによるコンテンツの見落としを防止できる。
【００６９】
ここで、縮小画像表示画面６１Ｂおよび日付表示画面６１Ｃに表示する内容の決定について説明する。図１０に示すように、送りスイッチ４３ａが押されている送り動作中に、送りスイッチ４３ａが強く押されると、次の月を選択する月表示画面６１Ｄに切り替わる。この場合は、表示中のコンテンツと同じ日付に属し、且つ当該コンテンツより後の時刻に撮影されたコンテンツが縮小画像表示画面６１Ｂの表示対象とされる。さらに、表示中のコンテンツの月と同一の月に属し、且つ表示中のコンテンツより後の日付のリストが日付表示画面６１Ｃの表示対象とされる。
【００７０】
一方、戻しスイッチ４３ｂが押されている戻し動作中に、戻しスイッチ４３ｂが強く押されると、前の月を選択する月表示画面６１Ｄに切り替わる。この場合は、表示中のコンテンツと同じ日付に属し、且つ当該コンテンツより前の時刻に撮影されたコンテンツが縮小画像表示画面６１Ｂの表示対象とされる。さらに、表示中のコンテンツの月と同一の月に属し、且つ表示中のコンテンツより前の日付のリストが日付表示画面６１Ｃの表示対象とされる。
【００７１】
月表示画面６１Ｄからコンテンツ表示画面６１Ａに切り替える際の画面遷移について図１１を参照して説明する。月表示画面６１Ｄにおいて、感圧式入力デバイス４２の押圧力が弱くなると、コンテンツ表示画面６１Ａに切り替わる。このとき、表示中のコンテンツの月と同一の月に属し、且つコンテンツが存在する全ての日付のリストを表示する日付表示画面６１Ｃと、日付表示画面６１Ｃの日付に属する全てのコンテンツの縮小画像表示画面６１Ｂとをスクロールによって一時的に表示する。そして、コンテンツ表示画面６１Ａに切り替わる。縮小画像表示画面６１Ｂおよび日付表示画面６１Ｃとによって、選択した月内のコンテンツの概要を簡単に把握できる。
【００７２】
＜３．変形例＞
以上、この発明の一実施形態について具体的に説明したが、この発明は、上述の一実施形態に限定されるものではなく、この発明の技術的思想に基づく各種の変形が可能である。例えば記録画像に対するカテゴリとして、日付、月以外に、ジャンル（人物、風景等）を使用しても良い。また、コンテンツとしては、静止画像に限らず動画像であっても良い。例えば１回の記録毎に分割された動画像がコンテンツとされる。動画像の場合では、各動画像の先頭のシーンの画像の縮小画像が一覧表示画面および俯瞰表示画面において使用される。
【００７３】
さらに、コンテンツとしては、記録画像に限らず、楽曲に対しても、この発明を適用することができる。楽曲の場合では、カテゴリとして、アルバム、アーチスト等を使用できる。さらに、カテゴリを表示するラベルとして、テキスト以外にカテゴリを識別することができるアイコン等の画像を使用しても良い。
【符号の説明】
【００７４】
１・・・カメラ部
２・・・記録再生処理部
３・・・制御部
４・・・表示部
５・・・操作入力部
６・・・メモリカード
１１・・・撮像部
２１・・・符号化／復号部
２４・・・内部メモリ
３１・・・表示制御部
３５・・・処理部
４１・・・表示画面
４２・・・感圧式入力デバイス
４３ａ・・・送りスイッチ
４３ｂ・・・戻しスイッチ
５１Ａ・・・コンテンツ表示画面
５１Ｂ・・・カテゴリ表示画面
５１Ｃ・・・一覧表示画面
５１Ｄ・・・俯瞰表示画面
【図１】
2011205562.tif 000003
【図２】
2011205562.tif 000004
【図３】
2011205562.tif 000005
【図４】
2011205562.tif 000006
【図５】
2011205562.tif 000007
【図６】
2011205562.tif 000008
【図７】
2011205562.tif 000009
【図８】
2011205562.tif 000010
【図９】
2011205562.tif 000011
【図１０】
2011205562.tif 000012
【図１１】
2011205562.tif 000013